(57)【要約】【課題】可動接点板の支点が浮き上がるのを防止する。【解決手段】  壁スイッチは、押釦１０、反転ばね１１Ａ及び可動接点板１２を含む。可動接点板１２は、第１方向Ｄ１の第１側及び第２側にそれぞれ第１端１２１及び第２端１２２を有し、第１方向Ｄ１における押釦１０からみて反転ばね１１Ａの反対に配置される。可動接点板１２は、第１端１２１が反転ばね１１Ａによって第１方向Ｄ１の第２側に付勢され、第２端１２２を支点として第１方向Ｄ１と直交する第２方向Ｄ２に沿って反転自在になるように設けられる。可動接点板１２の第１端１２１において反転ばね１１Ａによって付勢される位置は、可動接点板１２の可動接点１２Ａよりも可動接点板１２の第２端１２２の側にある。【選択図】図１
2015162452.tif 000002
【特許請求の範囲】
【請求項１】
第１方向の第１側に配置される押釦と、
前記第１方向の第２側に配置され、前記第１方向の第１側及び第２側にそれぞれ第１端及び第２端を備える可動接点板と、
前記可動接点板の第１端を前記第１方向の第２側に付勢するように前記押釦と前記可動接点板との間に配置される反転ばねを備え、前記第２端を支点として前記可動接点板を前記第１方向と直交する第２方向に反転するように構成される反転機構と
を備え、
前記可動接点板は可動接点を更に備え、
前記可動接点板の第１端において前記反転ばねによって付勢される位置は、前記可動接点よりも前記可動接点板の第２端の側にある
ことを特徴とするスイッチモジュール。
【請求項２】
前記反転ばねによって付勢される前記可動接点板の第１端の部分は、前記可動接点板の他の部分よりも薄くなっていることを特徴とする請求項１記載のスイッチモジュール。
【請求項３】
前記可動接点板の第２端を支持する支持片を備える第１端子と、
前記可動接点板が前記第２方向の第１及び第２側の一方又は他方に反転したときにそれぞれ前記可動接点と接触又は非接触となる固定接点を備える第２端子と
を更に備えることを特徴とする請求項１又は２記載のスイッチモジュール。
【請求項４】
前記反転機構は、
前記第２方向の第１及び第２側にそれぞれ第１及び第２反転突起を有し、前記第１方向の第１側における前記反転ばねの部分を保持した状態で、前記可動接点板とともに前記第２方向に反転自在に設けられる反転ハンドルと、
前記第１及び第２反転突起を交互に前記第１方向の第２側に押すための第１及び第２片をそれぞれ備えるスライドカムと、
前記スライドカムを前記第２方向における前記押釦の中心側に付勢するばね片と
を更に備えることを特徴とする請求項１から３の何れか１項に記載のスイッチモジュール。
【請求項５】
前記可動接点板の第１端において前記反転ばねによって付勢される位置は、前記第１方向の第２側における前記可動接点の縁部の位置よりも前記可動接点板の第２端の側にあることを特徴とする請求項１から４の何れか１項に記載のスイッチモジュール。
【請求項６】
前記可動接点板は、前記第２方向に屈曲する屈曲部を持たない平板形状であることを特徴とする請求項１から５の何れか１項に記載のスイッチモジュール。
【請求項７】
前記押釦が前記第１方向の第１側における面に取り付けられ、前記可動接点板、前記反転機構、前記第１端子及び前記第２端子を収納する器体を更に備える請求項３から６の何れか１項に記載のスイッチモジュール。
【請求項８】
前記請求項１から７の何れか１項に記載のスイッチモジュールと、
前記第１方向の第１側における前記押釦の面に着脱自在に取り付けられるピアノハンドルと
を備えることを特徴とする壁スイッチ。
【発明の詳細な説明】
【技術分野】
【０００１】
本発明は、一般にスイッチモジュール、より詳細には、押釦を押す度に押釦の位置が押される前の位置に復帰するように構成されるスイッチモジュール、及びこれを備える壁スイッチに関する。
【背景技術】
【０００２】
例えば、特許文献１は、ピアノハンドル式スイッチを開示する。このピアノハンドル式スイッチは、スイッチ本体及びピアノハンドルを含む。スイッチ本体は、器体と、その器体に収納されるスイッチ機構部とを含む。スイッチ機構部は、押操作される押釦ハンドルを器体の前面に具備し、押釦ハンドルの押操作毎に接点を開閉するように構成される。
【０００３】
スイッチ機構部は、接点（可動接点及び固定接点）、反転ハンドル、押釦ハンドル、スライドカム及び復帰ばねにより構成される。反転ばねの後端部には開閉子の前縁に突設されたばね座片が挿入され、反転ばねの前端部は反転ハンドルに設けた後面開口した筒部内に収められる。
【先行技術文献】
【特許文献】
【０００４】
【特許文献１】特開２００４−２９６２３１号公報
【発明の概要】
【発明が解決しようとする課題】
【０００５】
しかしながら、上記ピアノハンドル式スイッチでは、開閉子（可動接点板）の支点の浮きに起因する信頼性の課題がある。反転ばねで付勢される開閉子の位置が、可動接点の後端よりも前方に位置し、前後方向における開閉子の長さが長くなる結果、押釦ハンドルが押されているときに、開閉子の支点が浮き上がりやすくなるからである。
【０００６】
本発明は、上記課題に鑑みて為されたものであり、可動接点板の支点が浮き上がるのを防止することを目的とする。
【課題を解決するための手段】
【０００７】
本発明のスイッチモジュールは、押釦、可動接点板及び反転機構を備える。押釦は、第１方向の第１側に配置される。可動接点板は、前記第１方向の第２側に配置され、前記第１方向の第１側及び第２側にそれぞれ第１端及び第２端を備える。反転機構は、前記可動接点板の第１端を前記第１方向の第２側に付勢するように前記押釦と前記可動接点板との間に配置される反転ばねを備え、前記第２端を支点として前記可動接点板を前記第１方向と直交する第２方向に反転するように構成される。前記可動接点板は可動接点を更に備える。前記可動接点板の第１端において前記反転ばねによって付勢される位置は、前記可動接点よりも前記可動接点板の第２端の側にある。
【０００８】
上記スイッチモジュールにおいて、前記反転ばねによって付勢される前記可動接点板の第１端の部分は、前記可動接点板の他の部分よりも薄くなっていることが望ましい。
【０００９】
上記スイッチモジュールは、第１端子及び第２端子を更に備えることが望ましい。第１端子は、前記可動接点板の第２端を支持する支持片を備えてもよい。第２端子は、前記可動接点板が前記第２方向の第１及び第２側の一方又は他方に反転したときにそれぞれ前記可動接点と接触又は非接触となる固定接点を備えてもよい。
【００１０】
上記スイッチモジュールにおいて、前記反転機構は、反転ハンドル、スライドカム及びばね片を備えることが望ましい。反転ハンドルは、前記第２方向の第１及び第２側にそれぞれ第１及び第２反転突起を有し、前記第１方向の第１側における前記反転ばねの部分を保持した状態で、前記可動接点板とともに前記第２方向に反転自在に設けられてもよい。スライドカムは、前記第１及び第２反転突起を交互に前記第１方向の第２側に押すための第１及び第２片をそれぞれ備えてもよい。ばね片は、前記スライドカムを前記第２方向における前記押釦の中心側に付勢してもよい。
【００１１】
上記スイッチモジュールにおいて、前記可動接点板の第１端において前記反転ばねによって付勢される位置は、前記第１方向の第２側における前記可動接点の縁部の位置よりも前記可動接点板の第２端の側にあることが望ましい。
【００１２】
上記スイッチモジュールにおいて、前記可動接点板は、前記第２方向に屈曲する屈曲部を持たない平板形状であることが望ましい。
【００１３】
上記スイッチモジュールは、前記押釦が前記第１方向の第１側における面に取り付けられ、前記可動接点板、前記反転機構、前記第１端子及び前記第２端子を収納する器体を更に備えることが望ましい。
【００１４】
本発明の壁スイッチは、上記スイッチモジュールと、前記第１方向の第１側における前記押釦の面に着脱自在に取り付けられるピアノハンドルとを備える。
【発明の効果】
【００１５】
本発明は、可動接点板の支点が浮き上がるのを防止することが可能になるという効果がある。
【図面の簡単な説明】
【００１６】
【図１】本発明の一実施形態によるスイッチモジュールの分解斜視図である。
【図２】本実施形態のスイッチモジュールを含む壁スイッチの第１具体例に使用される設置部材を含む斜視図である。
【図３】第１具体例に使用される設置部材を含む別の斜視図である。
【図４】本実施形態のスイッチモジュールを含む壁スイッチの第２具体例に使用される設置部材を含む斜視図である。
【図５】本実施形態のスイッチモジュールを含む壁スイッチの第３具体例に使用される設置部材を含む斜視図である。
【図６】本実施形態における第１端子、第２端子、第３端子及び回路基板の斜視図である。
【図７】本実施形態におけるピアノハンドルの斜視図である。
【図８】本実施形態におけるスイッチモジュールの断面図である。
【図９】本実施形態における、可動接点板を揺動自在に保持するボディの斜視図である。
【図１０】本実施形態におけるカバーの斜視図である。
【図１１】本実施形態における押釦、スライドカム、ばね片、復帰ばね、カバー、反転ハンドル及び反転ばねの斜視図である。
【図１２】本実施形態における反転ばね、反転ハンドル、可動接点板及び支持片を示す図である。
【図１３】本実施形態の可動接点板及び反転ハンドルと比較例の可動接点板及び反転ハンドルを示す図である。
【図１４】本発明の一実施形態における第１及び第２端子と回路基板の斜視図である。
【図１５】本発明の一実施形態の要部を示す斜視図である。
【発明を実施するための形態】
【００１７】
図１は本発明の一実施形態によるスイッチモジュールを示す。先ず、本実施形態の主要構成を説明する。図１に示すように、本実施形態のスイッチモジュール１は、押釦１０、反転ばね１１Ａ及び可動接点板１２を含む。押釦１０は第１方向Ｄ１の第１側に配置される。可動接点板１２は、第１方向Ｄ１の第２側に配置され、第１方向Ｄ１の第１側及び第２側にそれぞれ第１端１２１及び第２端１２２を含む。可動接点板１２は、可動接点１２Ａを更に含む。図１の例では、右上及び左下側がそれぞれ第１方向Ｄ１の第１及び第２側に対応する。また、第１方向Ｄ１はスイッチモジュール１の奥行方向に対応し、押釦１０の配置側である第１方向Ｄ１の第１側が前側を定める。要するに、本実施形態では、第１方向Ｄ１の第１側及び第２側が、それぞれ「前側」及び「後側」に対応する。
【００１８】
反転ばね１１Ａは反転機構１１に含まれる。反転ばね１１Ａは、可動接点板１２の第１端１２１を第１方向Ｄ１の第２側に付勢するように押釦１０と可動接点板１２との間に配置される。反転機構１１は、第２端１２２を支点として可動接点板１２を第１方向Ｄ１と直交する第２方向Ｄ２に反転するように構成される。本実施形態では、第２方向Ｄ２はスイッチモジュール１の幅方向に対応し、また第２方向Ｄ２の第１側及び第２側がそれぞれ「右側」及び「左側」に対応する。図１の例では、左上及び右下側がそれぞれ第２方向Ｄ２の第１及び第２側に対応する。また、図１におけるＤ３は、第１及び第２方向Ｄ１及びＤ２と直交する第３方向である。本実施形態では、第３方向は、スイッチモジュール１の高さ方向に対応し、また第３方向Ｄ３の第１及び第２側がそれぞれ「上側」及び「下側」に対応する。本実施形態の特徴については後述する。
【００１９】
図２及び３は、本実施形態におけるスイッチモジュール１を含む壁スイッチの第１具体例を示す。第１具体例では、壁スイッチは、スイッチモジュール１及びピアノハンドル（操作パドル）５を含む。ピアノハンドル５は、第１方向Ｄ１の第１側に配置される一方、スイッチモジュール１は、第１方向Ｄ１の第２側に配置される。
【００２０】
第１具体例において、スイッチモジュール１は、取付枠６及び壁プレート７を用いて、ピアノハンドル５とともに壁などの造営面に設置される。なお、本発明の壁スイッチは、取付枠６及び壁プレート７を更に含んでもよい。
【００２１】
ピアノハンドル５は、壁プレート７の開口９１に対応する矩形状に形成され、第１方向Ｄ１の第１側、即ち前側におけるスイッチモジュール１の面（前面）に着脱自在に取り付けられる。一例において、ピアノハンドル５は、後述のカバー４の前面に着脱自在に取り付けられる。本実施形態の壁スイッチは、ピアノハンドル５がスイッチモジュール１の前面に着脱自在に取り付けられ、これらは、ピアノハンドル式スイッチを構成する。
【００２２】
取付枠６は、右側、左側、上側及び下側にそれぞれ第１側部６１、第２側部６２、第３側部６３及び第４側部６４を有し、第３方向Ｄ３に伸びる矩形状の開口６５を持つ矩形枠状に形成されている。取付枠６は、特許文献１と同様に、第１及び第２側部６１及び６２に３個のスイッチモジュール１を第３方向Ｄ３に沿って取り付けるための取付構造を持つ。例えば、第１側部６１の複数の取付孔６１１と第２側部６２の複数の取付孔６２１が取付構造を構成する。取付枠６は、第１及び第２側部６１及び６２が第３及び第４側部６３及び６４よりも全体的に後側にセットバックされるように、屈曲されている点で、特許文献１と異なる。取付枠６は、第１及び第２側部６１及び６２の各々の屈曲構造以外は特許文献１の取付枠と同様に構成されるので、ここでは詳細に説明しない。
【００２３】
壁プレート７は、例えば、プレート枠８及び化粧プレート９により構成される。壁プレート７は、第３方向Ｄ３に伸びる矩形状の開口９１を持つ。つまり、プレート枠８が、化粧プレート９の開口９１よりも大きな開口８１を持つことにより、壁プレート７は、開口９１を持つ。壁プレート７は、上記特許文献１と同様であるので、ここでは詳細に説明しない。
【００２４】
第１具体例におけるスイッチモジュール１の造営面への設置手順を説明する。例えば、プレート枠８が第１固定具（例えば２個のねじ（図示せず））で取付枠６に固定されているとき、スイッチモジュール１が、取付枠６の中央部に着脱自在に取り付けられる。次いで、ピアノハンドル５がスイッチモジュール１の前面に着脱自在に取り付けられ、取付枠６が第２固定具（例えば２つのねじ（図示せず））で造営面に固定される。次いで、化粧プレート９が、前側におけるプレート枠８の面（前面）に着脱自在に取り付けられる。
【００２５】
図４は、本実施形態におけるスイッチモジュール１を含む壁スイッチの第２具体例を示す。第２具体例では、壁スイッチは、２個のスイッチモジュール１及び２個のピアノハンドル５Ａを含む。各ピアノハンドル５Ａは、第３方向Ｄ３に沿った壁プレート７の開口９１の半分の寸法となる形状を持つ。
【００２６】
第２具体例におけるスイッチモジュール１の造営面への設置手順を説明する。例えば、プレート枠８が第１固定具で取付枠６に固定されているとき、２個のスイッチモジュール１が、取付枠６の上側と下側に着脱自在に取り付けられる。次いで、２個のピアノハンドル５Ａが、２個のスイッチモジュール１の前面に着脱自在に取り付けられ、取付枠６が第２固定具で造営面に固定される。次いで、化粧プレート９が、プレート枠８の前面に着脱自在に取り付けられる。
【００２７】
図５は、本実施形態におけるスイッチモジュール１を含む壁スイッチの第３具体例を示す。第３具体例では、壁スイッチは、３個のスイッチモジュール１及び３個のピアノハンドル５Ｂを含む。各ピアノハンドル５Ｂは、第３方向Ｄ３に沿った壁プレート７の開口９１の３分の１の寸法となる形状を持つ。
【００２８】
第３具体例におけるスイッチモジュール１の造営面への設置手順を説明する。例えば、プレート枠８が第１固定具で取付枠６に固定されているとき、３個のスイッチモジュール１が、取付枠６の上側、中央部及び下側に着脱自在に取り付けられる。次いで、３個のピアノハンドル５Ｂが、３個のスイッチモジュール１の前面に着脱自在に取り付けられ、取付枠６が第２固定具で造営面に固定される。次いで、化粧プレート９が、プレート枠８の前面に着脱自在に取り付けられる。
【００２９】
本実施形態におけるスイッチモジュール１の具体例を説明する。本実施形態では、図１及び６に示すように、スイッチモジュール１は、押釦１０、反転機構１１及び可動接点板１２に加えて、器体２、第１端子１３、第２端子１４、第３端子１５、復帰ばね１９及び回路基板２０を更に含む。反転機構１１は、反転ばね１１Ａに加えて、反転ハンドル１６、スライドカム１７及びばね片１８を更に含む。
【００３０】
反転ばね１１Ａ、可動接点板１２、第１端子１３、第２端子１４、第３端子１５、反転ハンドル１６及び回路基板２０は、器体２に収納される。押釦１０は、スライドカム１７、ばね片１８及び復帰ばね１９とともに第１方向Ｄ１の第１側における器体２の面（前面）に取り付けられる。
【００３１】
先ず、器体２について説明する。器体２は、第２方向Ｄ２に伸びる直方体状であり、ボディ３及びカバー４により構成される。ボディ３及びカバー４の各々は合成樹脂成形品である。
【００３２】
ボディ３は、後側、右側、左側、上側及び下側にそれぞれ基部３０、第１側部３１、第２側部３２、第３側部３３及び第４側部３４を有し、第２方向Ｄ２に伸びる矩形状の前面開口を持つ箱状に形成されている。カバー４は、前側、右側、左側、上側及び下側にそれぞれ基部４０、第１側部４１、第２側部４２、第３側部４３及び第４側部４４を有し、第２方向Ｄ２に伸びる矩形状の後面開口を持つ箱状に形成されている。
【００３３】
ボディ３において、第３側部３３は、第２方向Ｄ２の第１及び第２側にそれぞれ第３方向Ｄ３の第１側に突出する第１及び第２突起３３１及び３３３を有する。同様に、第４側部３４は、第２方向Ｄ２の第１及び第２側にそれぞれ第３方向Ｄ３の第２側に突出する第３及び第４突起３４１及び３４３を有する（後述の図１５参照）。
【００３４】
カバー４において、第３側部４３は、第１方向Ｄ１の第２側に（後方に）突出する第１及び第２平片４３１及び４３３を有するＣ（角括弧）状に形成されている。第４側部４４は、後方に突出する第３及び第４平片４４１及び４４３を有するＣ（角括弧）状に形成されている。平片４３１、４３３、４４１及び４４３には、それぞれ第１、第２、第３及び第４孔４３２、４３４、４４２及び４４４が形成されている。
【００３５】
つまり、ボディ３及びカバー４は、第１、第２、第３及び第４突起３３１、３３３、３４１及び３４３が、それぞれ、第１、第２、第３及び第４孔４３２、４３４、４４２及び４４４に挿入されるように形成される。従って、ボディ３及びカバー４を結合することでき、その結果、器体２を構成することができる。
【００３６】
ピアノハンドル５（５Ａ及び５Ｂ）の器体２への取付構造を説明する。図１及び２に示すように、器体２（本実施形態ではカバー４）は、第３方向Ｄ３に沿って形成されピアノハンドル５（５Ａ及び５Ｂ）を自己４５の周りに旋回自在に保持するための少なくとも１個の軸部４５と、ピアノハンドル５の軸部４５周りの旋回をガイドするための少なくとも１個のスリット４６とを更に含む。
【００３７】
図１及び２の例では、器体２（カバー４）は、２個の軸部４５及び２個のスリット４６を含む。各軸部４５は、第２方向Ｄ２の第２側における器体２（カバー４）の前面に第３方向Ｄ３に沿って離隔して配置されている。各スリット４６は、第２方向Ｄ２の第１側における器体２（カバー４）の前面に第３方向Ｄ３に沿って離隔して形成されている。
【００３８】
図７に示すように、ピアノハンドル５は、器体２の少なくとも１個の軸部４５を軸支するための軸受孔５１と、器体２の少なくとも１個のスリット４６に挿入される突片５２とを有している。
【００３９】
図７の例では、ピアノハンドル５は、器体２の２個の軸部４５を軸支するための軸受孔５１と、器体２の２個のスリット４６に個別に挿入される２個の平状突片５２とを、第１方向Ｄ１の第２側におけるピアノハンドル５の面（後面）に有している。加えて、ディスクリート部品である軸受ばね体５０が軸受孔５１内に配置されることにより、器体２（カバー４）は、軸受孔５１及び軸受ばね体５０が２個の軸部４５を軸支するように構成されている。２個の突片５２は、ピアノハンドル５が軸部４５周りに所定長旋回することができるように、第１方向Ｄ１の第２側に突出している。また、各突片５２は、器体２の対応するスリット４６内に係止するように当該突片５２の先端に形成された２個の爪５２１を有している。ピアノハンドル５Ａ及び５Ｂの各々も、ピアノハンドル５と同様に形成される。
【００４０】
上記構造では、ピアノハンドル５（５Ａ及び５Ｂ）は、ピアノハンドル５の第２方向Ｄ２の第１側が第１方向Ｄ１に沿って移動自在となるように、器体２に取り付けることができる。
【００４１】
図１及び２に示すように、第１側部４１は、取付枠６の第１側部６１における隣り合う２個の取付孔６１１に挿入されるべき２個の爪４１１を有する。同様に、第２側部４２は、取付枠６の第２側部６２における隣り合う２個の取付孔６２１に挿入されるべき２個の爪４２１を有する。従って、各爪４１１を対応する取付孔６１１に挿入し、各爪４２１を対応する取付孔６２１に挿入することにより、スイッチモジュール１を取付枠６に取り付けることができる。
【００４２】
図８に示すように、ボディ３は、第２方向Ｄ２の第１及び第２側にそれぞれ第１及び第２収納室３７及び３８を形成する第１及び第２隔壁３５及び３６を有し、第１及び第２隔壁３５及び３６は、第１及び第２収納室３７及び３８の間に中央収納室３９を形成するように互いに離隔されている。
【００４３】
第１端子１３の一部は器体２内の中央収納室３９に収納され、第１端子１３の残部は器体２内の第１収納室３７に収納される。第２端子１４の一部及び第３端子１５の一部は器体２内の中央収納室３９に収納され、第２端子１４の残部及び第３端子１５の残部は器体２内の第２収納室３８に収納される。
【００４４】
図１及び６に示すように、第１端子１３は、可動接点板１２の第２端１２２を支持する支持片１３１を含む。図６の例では、第１端子１３は、端子板１３０、２個の鎖錠ばね１３８及び解除釦１３９により構成されている。第２端子１４は、固定接点（第１固定接点）１４１を含み、端子板１４０及び鎖錠ばね１４８により構成されている。第３端子１５は、固定接点（第２固定接点）１５１を含み、端子板１５０及び鎖錠ばね１５８により構成されている。また、スイッチモジュール１は、解除釦１４９を含み、これは、第２及び第３端子１４及び１５により兼用されている。
【００４５】
第１端子１３において、端子板１３０は、支持片１３１、第１連結片１３２、第１平片１３３、第２平片１３４、第３平片１３５、第４平片１３６及び第２連結片１３７を一体に有している。第１〜第４平片１３３〜１３６は、第１及び第３平片１３３及び１３５がそれぞれ第２及び第４平片１３４及び１３６と対向するように、第３方向Ｄ３に伸びる第１連結片１３２の両端側から後方に突出（屈曲）されている。第２連結片１３７は、Ｌ状断面を持ち、第２及び第４平片１３４及び１３６間に介在し第２連結片１３７の先端が左方に伸びるように、第１連結片１３２から後方に突出されている。支持片１３１は、矩形平状に形成され、第３方向Ｄ３に伸びるように第２連結片１３７の先端に一体に連結されている。より詳しくは、第１及び第２平片１３３及び１３４は、上側に配置されている一方、第３及び第４平片１３５及び１３６は、下側に配置されている。また、第１及び第３平片１３３及び１３５は、右側に配置されている一方、第２及び第４平片１３４及び１３６と第２連結片１３７は、左側に配置されている。
【００４６】
第２端子１４において、端子板１４０は、固定接点（第１固定接点）１４１、連結片１４２、第１平片１４５、第２平片１４６及び固定接点片（第１固定接点片）１４７を一体に有している。第１及び第２平片１４５及び１４６は、第１平片１４５が第２平片１４６と対向するように、第２方向Ｄ２に伸びる連結片１４２の両端側から後方に突出（屈曲）されている。図６の例では、固定接点片１４７は、Ｊ又はＵ状に形成され、連結片１４２から第１平片１４５とともに後方に突出され、固定接点片１４７の先端側は、第１方向Ｄ１の第１側に（前方に）屈曲している。固定接点１４１は、第２方向Ｄ２の第１側における固定接点片１４７の面に配置されている。より詳しくは、図１に示すように、第２端子１４は、下側に配置されている一方、第３端子１５は、上側に配置されている。また、第１平片１４５及び固定接点片１４７は右側に配置されている一方、第２平片１４６は左側に配置されている。
【００４７】
図１及び６に示すように、第３端子１５において、端子板１５０は、固定接点（第２固定接点）１５１、連結片１５２、第１平片１５３、第２平片１５４及び固定接点片（第２固定接点片）１５７を一体に有している。第１及び第２平片１５３及び１５４は、第１平片１５３が第２平片１５４と対向するように、第２方向Ｄ２に伸びる連結片１５２の両端側から後方に突出（屈曲）されている。固定接点片１５７は、Ｌ状断面を持ち、固定接点片１５７の先端が第２端子１４の固定接点１４１に面するように、第１平片１５３から右方に突出されている。固定接点１５１は、第２方向Ｄ２の第２側における固定接点片１５７の先端面に配置されている。より詳しくは、第１平片１５３及び固定接点片１５７は右側に配置されている一方、第２平片１５４は左側に配置されている。
【００４８】
図６及び８に示すように、第１端子１３の一部である支持片１３１は、ボディ３の中央収納室３９に収納される一方、第１端子１３の残部は、ボディ３の第１収納室３７に収納される。２個の鎖錠ばね１３８の一方は、第１及び第２平片１３３及び１３４の間に配置される一方、他方は、第３及び第４平片１３５及び１３６の間に配置される。解除釦１３９は、２個の鎖錠ばね１３８の一部（鎖錠片）を前方に屈曲することができるように２個の鎖錠ばね１３８の間に配置される。
【００４９】
同様に、第２端子１４の一部である固定接点片１４７及び第３端子１５の一部である固定接点片１５７は、ボディ３の中央収納室３９に収納される一方、第２端子１４の残部及び第３端子１５の残部は、第２収納室３８に収納される。鎖錠ばね１４８は、第１及び第２平片１４５及び１４６の間に配置される一方、鎖錠ばね１５８は、第１及び第２平片１５３及び１５４の間に配置される。解除釦１４９は、２個の鎖錠ばね１４８及び１４９の各一部（鎖錠片）を前方に屈曲することができるように２個の鎖錠ばね１４８及び１５８の間に配置される。
【００５０】
鎖錠ばね１３８、１４８及び１５８は互いに同一である。また、鎖錠ばね１３８、１４８及び１５８の各々は、特許文献１と同様であるので、ここでは詳細に説明しない。解除釦１３９及び１４９も互いに同一である。また、解除釦１３９及び１４９の各々は、特許文献１と同様であるので、ここでは詳細に説明しない。
【００５１】
図６に示すように、回路基板２０は、例えば、インサート成形品であり、第１端子２０１、第２端子２０２及び光源（第１光源）２０４を含む（後述の図１５参照）。光源２０４は、第１及び第２端子２０１及び２０２間に接続される回路（第１回路）に含まれる。本実施形態の回路基板２０は、図１４の実施形態の回路基板２０と共通である。例えば、第１回路は、光源２０４と、複数の抵抗２０５とを含む直列回路である。光源２０４は、例えばＬＥＤ（発光ダイオード）であり、詳しくは緑色ＬＥＤである。
【００５２】
回路基板２０は、第１及び第２端子２０１及び２０２がそれぞれ端子板１５０及び１４０に接触するように、器体２内に収納される。図８の例では、第２端子２０２は端子板１４０の連結片１４２に接触している。同様に、第１端子２０１は端子板１５０の連結片１５２に接触している。
【００５３】
反転ばね１１Ａ、可動接点板１２及び反転ハンドル１６は、器体２の中央収納室３９に収納される。図１の例では、反転ばね１１Ａは、圧縮コイルばねである。
【００５４】
可動接点板１２は、第３方向Ｄ３の第１側及び第２側にそれぞれ第３端１２３及び第４端１２４を更に有する。本実施形態では、可動接点板１２は、屈曲部を持たない平板状になっている。
【００５５】
図８及び９に示すように、器体２は、可動接点板１２の第１端１２１の側が第２方向Ｄ２に沿って反転自在になるように可動接点板１２を支持する第１及び第２凹部３９１及び３９２を更に含む。図８及び９の例では、第１及び第２凹部３９１及び３９２は、ボディ３の中央収納室３９内に形成されている。また、第１及び第２凹部３９１及び３９２の各々は、第１方向Ｄ１の第２側から第１側に徐々に広くなる形状（三角形状）に形成されている。第３方向Ｄ３の第１側における可動接点板１２の第３端１２３の後側が第１凹部３９１によって支持されている一方、第３方向Ｄ３の第２側における可動接点板１２の第４端１２４の後側が第２凹部３９２によって支持されている。つまり、第１及び第２凹部３９１及び３９２が、可動接点板１２の第２端１２２を、第２方向Ｄ２において可動接点板１２の第１端１２１の側が旋回自在となる旋回軸に定める。
【００５６】
図１及び９に示すように、可動接点板１２は、金属などの平板状の電気導電体であり、第２方向Ｄ２の第１側及び第２側にそれぞれ第１面１２５及び第２面１２６を有する。また、可動接点板１２は、第１端１２１の上側及び下側からそれぞれ前側に突出する第１突片１２７及び第２突片１２８を更に含む。第１突片１２７は、後側における反転ばね１１Ａの端部（後端部）に嵌入される。第２突片１２８は、第１及び第２面１２５及び１２６にそれぞれ可動接点（第２可動接点）１２Ｂ及び可動接点（第１可動接点）１２Ａを有している。
【００５７】
図１及び１０に示すように、器体２は、反転ハンドル１６を第２方向Ｄ２に沿って反転自在に支持する第３及び第４凹部４０３及び４０４を更に含む。図１及び１０の例では、カバー４は、後方にセットバックされた凹所４００を前側における基部４０に有している。また、カバー４は、凹所４００の底から前方に突出された第１及び第２突出部４０１及び４０２を有する。第１及び第２突出部４０１及び４０２は、第３方向Ｄ３の第１及び第２側にそれぞれ対向配置されている。第３凹部４０３は、第２突出部４０２に面するように第１突出部４０１に具備されている。第４凹部４０４は、第１突出部４０１に面するように第２突出部４０２に具備されている。第３及び第４凹部４０３及び４０４の各々は、第１方向の第１側から第２側に徐々に広くなる形状（三角形状）に形成されている。更に、カバー４は、第１及び第２突出部４０１及び４０２の間に形成された開口４０５を有している。開口４０５は、第２方向Ｄ２に伸びる矩形状になっている。
【００５８】
図１及び１０に示すように、カバー４は、第２方向Ｄ２の第１及び第２側における凹所４００の端にそれぞれ第１及び第２ガイド孔４０６及び４０７を有している。カバー４は、第２方向Ｄ２の第１側における凹所４００の内面の一部に矩形孔４０８を有し、第１ガイド孔４０６は矩形孔４０８に連通している。つまり、矩形孔４０８は第１ガイド孔４０６に含まれる。また、カバー４は、第２方向Ｄ２の第２側における凹所４００の内面の一部に矩形状の凹所４０９を有し、第２ガイド孔４０７は、凹所４０９に連通している。つまり、凹所４０９は第２ガイド孔４０７に含まれる。
【００５９】
反転ハンドル１６は、開口を有する筒状に形成され、反転ばね１１Ａが反転ハンドル１６内に配置される。図１及び１１の例では、反転ばね１１Ａは、反転ばね１１Ａの後端が反転ハンドル１６からはみ出すように、反転ハンドル１６内に配置されている。図８及び１１に示すように、反転ハンドル１６は、第１及び第２支点突起１６１及び１６２と、第１及び第２反転突起１６３及び１６４とを含む。
【００６０】
第１及び第２支点突起１６１及び１６２は、器体２の第３及び第４凹部４０３及び４０４内にそれぞれ位置するように、第３方向Ｄ３の第１及び第２側における反転ハンドル１６の部分に形成されている。
【００６１】
第１及び第２反転突起１６３及び１６４は、第２方向Ｄ２の第１及び第２側における反転ハンドル１６の先端の２カ所から前方に突出されている。つまり、第１及び第２反転突起１６３及び１６４は、第１及び第２支点突起１６１及び１６２よりも前側に配置されている。
【００６２】
器体２の組立てについて説明する。先ず、上述の如く、第１端子１３、第２端子１４、第３端子１５、回路基板２０及び可動接点板１２が、ボディ３内に収納される。また、反転ばね１１Ａが反転ハンドル１６内に挿入される。次いで、可動接点板１２の第１突片１２７が反転ばね１１Ａの後端部に嵌入されて、反転ハンドル１６が可動接点板１２に載置される。次いで、反転ハンドル１６の第１及び第２支点突起１６１及び１６２がそれぞれ第３及び第４凹部４０３及び４０４内に挿入されるように、カバー４がボディ３に結合される。このように器体２の組立てが行われると、器体２内に収納された反転ハンドル１６の第１及び第２反転突起１６３及び１６４側（反転ハンドル１６の前部）が器体２の開口４０５を介して器体２の凹所４００内に配置される。
【００６３】
次に、押釦１０、スライドカム１７、ばね片１８及び復帰ばね１９について説明する。押釦１０、スライドカム１７、ばね片１８及び復帰ばね１９は、ばね片１８がスライドカム１７を押釦１０の中央側に付勢し、また復帰ばね１９が押釦１０を第１方向Ｄ１の第１側に付勢するように、器体２の前面に取り付けられる。
【００６４】
図１に示すように、押釦１０は、前側、右側、左側、上側及び下側にそれぞれ基部１００、第１側部１０１、第２側部１０２、第３側部１０３及び第４側部１０４を有し、第２方向Ｄ２に伸びる矩形状の後面開口を持つ箱状に形成されている。第１側部１０１は、両端部から分離された中央部を含み、カバー４の第１ガイド孔４０６の矩形孔４０８内に配置される爪１０５を第１側部１０１の中央部の先端に有している。第２側部１０２は、両端部から分離された中央部を含み、カバー４の第２ガイド孔４０７の凹所４０９内に配置される爪１０６を第２側部１０２の中央部の先端に有している。従って、押釦１０が第１方向Ｄ１に沿って移動自在になるように、押釦１０をカバー４の凹所４００に取り付けることができる。
【００６５】
図１１に示すように、スライドカム１７は、第１及び第２反転突起１６３及び１６４を交互に第１方向の第２側に押すための第１及び第２片（カム片）１７１及び１７２をそれぞれ有している。本実施形態では、第１及び第２片１７１及び１７２は、
(a) 第１片１７１が前側の第１反転突起１６３を押すにつれて、第１片１７１は、第２反転突起１６４の内側から両反転突起間の中心の方にスライドする第２片１７２とともにスライドし、
(b) 第２片１７２が前側の第２反転突起１６４を押すにつれて、第２片１７２は、第１反転突起１６３の内側から両反転突起間の中心の方にスライドする第１片１７１とともにスライドする
ように互いに離隔される。
【００６６】
ばね片１８は、スライドカム１７を押釦１０の中央側に付勢する第１及び第２ばね片１８１及び１８２を有している。
【００６７】
図１１の例では、第１及び第２ばね片１８１及び１８２は、それぞれ第２方向Ｄ２の第１及び第２側に配置され、スライドカム１７は、第１及び第２ばね片１８１及び１８２によって、第２方向Ｄ２における押釦１０の中央側に付勢される。詳しくは、ばね片１８は連結片１８３を更に有している。第１及び第２ばね片１８１及び１８２は、第１及び第２ばね片１８１及び１８２の先端がスライドカム１７の第４片１７４の両端を保持するように、連結片１８３によって保持されている。また、ばね片１８は、第１及び第２ばね片１８１及び１８２と連結片１８３を一体に有している。
【００６８】
復帰ばね１９は、押釦１０の基部１００の内面に配置されたスライドカム１７を、スライドカム１７が基部１００の内面に沿って移動自在になるように、押さえる押え片１９０と、押釦１０を第１方向Ｄ１の第１側に付勢する付勢片１９５とを有している。
【００６９】
図１１の例では、押釦１０の基部１００の内面に配置されたスライドカム１７は、スライドカム１７が第２方向Ｄ２に移動自在になるように、押え片１９０によって、押釦１０の基部１００の内面に保持される。また、復帰ばね１９は、押え片１９０及び付勢片１９５を一体に有している。
【００７０】
押え片１９０は、反転ハンドル１６の第１及び第２反転突起１６３及び１６４が中を通過する枠状（四角い枠状）に形成されている。詳しくは、押え片１９０は、右側、左側、上側及び下側にそれぞれ第１側部１９１、第２側部１９２、第３側部１９３及び第４側部１９４を有している。また、押え片１９０は、第３及び第４側部１９３及び１９４の間に中間片１９ａを更に有し、第１及び第２反転突起１６３及び１６４がそれぞれ通過する第１及び第２孔１９ｂ及び１９ｃを有している。
【００７１】
付勢片１９５は、弓状の第１及び第２ばね片を有し、第１及び第２ばね片の各中央部が押釦１０の内面に固定されることにより、第１及び第２ばね片によって押釦１０を第１方向の第１側に付勢するように構成される。また、上記押え片１９０の第３側部１９３及び第４側部１９４は、第１及び第２ばね片の間に配置される。更に、第１ばね片の内縁中央部は、押え片１９０の第３側部１９３の外縁中央部に一体に結合される一方、第２ばね片の内縁中央部は、押え片１９０の第４側部１９４の外縁中央部に一体に結合される。
【００７２】
図１１の例では、付勢片１９５は、右側、左側、上側及び下側にそれぞれ第１側部１９６、第２側部１９７、第３側部１９８及び第４側部１９９を有し、第３及び第４側部１９８及び１９９がそれぞれ上記第１及び第２ばね片に対応する。つまり、付勢片１９５は、第１及び第２孔１９ｂ及び１９ｃよりも大きい孔を持つ枠状（四角い枠状）に形成されている。なお、第１及び第２側部１９６及び１９７はオプションである。
【００７３】
次に、図１１に示す部材の器体２への取付けについて説明する。先ず、スライドカム１７は、押釦１０の基部１００の内面に配置される。次いで、第４片１７４の両端が第１及び第２ばね片１８１及び１８２の先端で保持された状態で、ばね片１８の連結片１８３が押釦１０の基部１００の内面に固定される。次いで、復帰ばね１９における付勢片１９５の第３及び第４側部１９８及び１９９の各中央部が押釦１０の基部１００の内面に固定される。次いで、スライドカム１７、ばね片１８及び復帰ばね１９を有する押釦１０は、上述の如く、カバー４の凹所４００に取り付けられる。
【００７４】
上記スイッチモジュール１の反転動作を説明する。図８に示すように、可動接点１２Ａが固定接点１４１に接触しているとき、反転ハンドル１６の第２反転突起１６４は第１反転突起１６３よりも前方に位置する。この場合、押釦１０が復帰ばね１９によって第１方向Ｄ１の第１側に付勢された状態で、押釦１０の爪１０５及び１０６が、それぞれカバー４の第１及び第２ガイド孔４０６及び４０７の各前縁に係止されている。つまり、押釦１０は最前位置にある。また、スライドカム１７は、ばね片１８によって第２方向Ｄ２における押釦１０の中央側に位置する。
【００７５】
図８の状態から、押釦１０が、例えばピアノハンドル５を介して第１方向Ｄ１の第２側に押されると、スライドカム１７は、第２片１７２が前方に位置する第２反転突起１６４を押し、また第１片１７１が第１反転突起１６３から離れながら、第２方向Ｄ２にスライドする。図８の例では、第２片１７２は第２反転突起１６４よりも左側に位置しており、反転ハンドル１６が反転するのに伴って、スライドカム１７は左側にスライドされる。その間に、スライドカム１７の第２片１７２が第２反転突起１６４を第１方向Ｄ１の第２側に押すので、第１反転突起１６３が第２反転突起１６４よりも前方に位置するように反転ハンドル１６が反転し、同時に可動接点板１２も反転する。その結果、可動接点１２Ａは固定接点１４１から離され、可動接点１２Ｂが固定接点１５１に接触する。その後、ピアノハンドル５を押すのを止めると、押釦１０は、復帰ばね１９によって、ピアノハンドル５とともに元の位置に復帰し、またスライドカム１７もばね片１８によって元の位置に復帰する。
【００７６】
その後、押釦１０が、ピアノハンドル５を介して第１方向Ｄ１の第２側に押されると、スライドカム１７は、第１片１７１が前方に位置する第１反転突起１６３を押し、また第２片１７２が第２反転突起１６４から離れながら、第２方向Ｄ２にスライドする。第１片１７１は第１反転突起１６３よりも右側に位置しており、反転ハンドル１６が反転するのに伴って、スライドカム１７は右側にスライドされる。その間に、スライドカム１７の第１片１７１が第１反転突起１６３を第１方向Ｄ１の第２側に押すので、第２反転突起１６４が第１反転突起１６３よりも前方に位置するように反転ハンドル１６が反転し、同時に可動接点板１２も反転する。その結果、可動接点１２Ｂは固定接点１５１から離され、可動接点１２Ａが固定接点１４１に接触する。その後、ピアノハンドル５を押すのを止めると、押釦１０は、復帰ばね１９によって、ピアノハンドル５とともに元の位置に復帰し、またスライドカム１７もばね片１８によって元の位置に復帰する。
【００７７】
本実施形態の第１の特徴について説明する。図１２に示すように、可動接点板１２の第１端１２１において反転ばね１１Ａによって付勢される位置Ｐ１は、可動接点１２Ａ（１２Ｂ）よりも可動接点板１２の第２端１２２の側にある。図１２の例では、位置Ｐ１は、第１方向Ｄ１の第２側における可動接点１２Ａ（１２Ｂ）の縁部の位置Ｐ２よりも可動接点板１２の第２端１２２の側にある。
【００７８】
図１３は、本実施形態の可動接点板１２及び反転ハンドル１６と比較例の可動接点板１１２及び反転ハンドル１１６を示す。比較例の反転ハンドル１１６において反転ばね（図示せず）によって付勢される位置Ｐ１１は、第１方向Ｄ１の第２側における可動接点１１２Ｂの縁部の位置Ｐ１２よりも上側にある。
【００７９】
このように、位置Ｐ１１が位置Ｐ１２よりも上側にあると、可動接点板１１２の支点が浮き上がりやすくなる。
【００８０】
これに対して、本実施形態では、位置Ｐ１が可動接点１２Ｂ（１２Ａ）よりも可動接点板１２の第２端１２２の側にあるので、可動接点板１２の支点（１２２）が浮き上がるのを防止することができる。また、可動接点板１２の第１及び第２端１２１及び１２２間の長さが比較例の可動接点板１１２のそれよりも短くなるので、スイッチモジュール１の奥行き寸法を短くすることができる。
【００８１】
本実施形態の第２の特徴について説明する。本実施形態では、図９及び１２に示すように、反転ばね１１Ａによって付勢される可動接点板１２の第１端１２１の部分は、可動接点板１２の他の部分よりも薄くなっている。
【００８２】
詳しくは、可動接点板１２は、第３方向Ｄ３における第１突片１２７の基部の両側に一対のばね受け１２９をさらに備える。
【００８３】
第１突片１２７は、第３方向Ｄ３における寸法が第１方向Ｄ１の第２側から第１側に向かって徐々に短くなる形状（三角形状）に形成されている。また、第１突片１２７は、端面１２７ａと、一対の斜面１２７ｂとを有している。一対の斜面１２７ｂの各々は、端面１２７ａの周囲における端面１２７ａの対応する縁と可動接点板１２の対応する面の縁との間に形成されている。要するに、第１突片１２７は、可動接点１２Ａ及び１２Ｂ、第１突片１２７及びばね受け１２９及び１２９を除く可動接点板１２の厚さよりも薄い厚さを持つ端面１２７ａを有している。
【００８４】
一対のばね受け１２９が、上記反転ばね１１Ａによって付勢される可動接点板１２の第１端１２１の部分に対応する。各ばね受け１２９は、可動接点板１２の厚さよりも薄い厚さを持つ端面１２９ａを有している。詳しくは、各ばね受け１２９は、一対の斜面１２９ｂを更に有している。各ばね受け１２９における一対の斜面１２９ｂの各々は、対応する端面１２９ａの周囲における端面１２９ａの対応する縁と可動接点板１２の対応する面の縁との間に形成されている。
【００８５】
このように構成されたばね受け１２９及び１２９の端面１２９ａ及び１２９ａが、第１突片１２７に嵌入された反転ばね１１Ａの後端を受ける。従って、第１の特徴によって可動接点板１２の第１及び第２端１２１及び１２２間の長さが短くなっても、反転ばね１１Ａ（反転ハンドル１６）が第２方向Ｄ２における反転範囲の中間位置で停止するのを防止することができる。
【００８６】
一実施形態において、スイッチモジュール１は回路基板２０を有さない。つまり、回路基板２０はオプションである。
【００８７】
一実施形態において、スイッチモジュール１は、第１端子及び第２端子を含むが、第３端子１５含まない。第１端子は、可動接点板１２の第２端１２２を支持する支持片１３１を含む。第２端子は、可動接点板１２が第２方向Ｄ２の第１及び第２側の一方又は他方に反転したときにそれぞれ可動接点１２Ａと接触又は非接触となる固定接点１４１を含む。具体的には、スイッチモジュール１は、図１などに示す第２端子１４及び第３端子１５に代えて、図１４に示す第２端子１４Ａを有する。第２端子１４Ａは、固定接点１４１を含み、端子板１４０、２個の鎖錠ばね１４８及び解除釦１４９により構成されている。端子板１４０は、固定接点片１４７、連結片１４２、第１平片１４３、第２平片１４４、第３平片１４５及び第４平片１４６を一体に有している。第１〜第４平片１４３〜１４６は、第１及び第３平片１４３及び１４５がそれぞれ第２及び第４平片１４４及び１４６と対向するように、第３方向Ｄ３に伸びる連結片１４２の両端側から後方に突出（屈曲）されている。固定接点１４１は図１と同様に固定接点片１４７に具備されている。この実施形態は、回路基板２０を有さない上記実施形態にも適用可能である。
【００８８】
一実施形態において、図１５に示すように、スイッチモジュール１は、トランス２１、トランスケース２２及び中間部材２３を更に含む。
【００８９】
トランス２１は、支持片１３１と端子板１３０との間に介在する１次巻き線２１１と、接続カバー２１３内の２次巻き線とを有する。本実施形態では、１次巻き線２１１が支持片１３１と端子板１３０との間に介在するので、支持片１３１は、端子板１３０から物理的に分離される。加えて、支持片１３１は、１次巻き線２１１の一端２１１ａと接続される接続片１３１ａを備える一方、端子板１３０は、第２連結片１３７に代えて、１次巻き線２１１の他端２１１ｂと接続される接続片１３７ａを備える。
【００９０】
トランスケース２２は、トランスケース２２内のトランス２１の２次巻き線の両端と接続カバー２１３を介して電気的に接続される２本の導電ピン２２１を含む。２本の導電ピン２２１は、回路基板２０の２個の端子２０３（１個の端子２０３は隠れている）と電気的に接続される。回路基板２０は、光源（第２光源）２０６を更に含む。光源２０６は、２個の端子２０３間に接続される回路（第２回路）に含まれる。第２回路は、例えば、光源２０６及び抵抗２０７等を含む。光源２０６は、例えばＬＥＤであり、詳しくは赤色ＬＥＤである。
【００９１】
トランス２１及びトランスケース２２は、器体２（ボディ３）内の中央収納室３９内に収納される。このため、本実施形態におけるボディ３の基部３０の中間部分は、トランス２１及びトランスケース２２用の収納室を確保するように、第１方向Ｄ１の第２側にセットバックされる。図１５の例では、基部３０の中間部分は、トランス２１、トランスケース２２及び中間部材２３用の収納室を確保するように、第１方向Ｄ１の第２側にセットバックされている。中間部材２３は、図８の実施形態における中央収納室３９内の底に対応する形状に形成される。
【符号の説明】
【００９２】
１０  押釦
１１  反転ばね
１２  可動接点板
１２Ａ  可動接点
１２１  可動接点板の第１端
１２２  可動接点板の第２端
１３  第１端子
１４  第２端子
１４１  固定接点
１６  反転ハンドル
１９  復帰ばね
２  器体
５  ピアノハンドル
【図１】
2015162452.tif 000003
【図２】
2015162452.tif 000004
【図３】
2015162452.tif 000005
【図４】
2015162452.tif 000006
【図５】
2015162452.tif 000007
【図６】
2015162452.tif 000008
【図７】
2015162452.tif 000009
【図８】
2015162452.tif 000010
【図９】
2015162452.tif 000011
【図１０】
2015162452.tif 000012
【図１１】
2015162452.tif 000013
【図１２】
2015162452.tif 000014
【図１３】
2015162452.tif 000015
【図１４】
2015162452.tif 000016
【図１５】
2015162452.tif 000017